(57)【要約】  【課題】  情報再生装置において、再生画像を、専用印刷機を接続しなくとも印刷可能にする。  【解決手段】  記録媒体に、少なくとも、映像コンテンツの他、該映像コンテンツにより形成される画像を印刷するための印刷アプリケーションのデータを記録する。情報再生装置は、映像コンテンツと上記印刷アプリケーションの情報とを該記録媒体から読み取る検出部と、該読み取った印刷アプリケーションの情報により印刷アプリケーションを実行し、印刷する画像を特定するアプリケーション実行部と、該特定された画像を印刷処理可能な信号に変換するプリンタドライバと、該変換された印刷処理可能な信号を印刷データとして出力する印刷データ出力部とを備える。【選択図】  図１
2008141607.tif 000002
【特許請求の範囲】
【請求項１】
記録媒体から映像信号を再生する情報再生装置であって、
映像コンテンツと、該映像コンテンツにより形成される画像を印刷するための印刷アプリケーションの情報とを記録媒体から読取る検出部と、
上記読取った映像コンテンツを映像情報と音声情報に分離するとともに、上記印刷アプリケーションの情報を処理する信号処理回路と、
上記分離された映像情報と音声情報とをデジタル信号処理し復号化する復号回路と、
上記印刷アプリケーションの情報及び上記復号化された映像情報が入力され、印刷アプリケーションを実行し、印刷する画像を特定するアプリケーション実行部と、
上記特定された画像を印刷処理可能な信号に変換するプリンタドライバと、
上記変換された印刷処理可能な信号を印刷データとして出力する印刷データ出力部と、
を備えたことを特徴とする情報再生装置。
【請求項２】
上記印刷データ出力部に接続された複数の印刷部のうち一部のものを選択するとともに該選択した印刷部に対応するプリンタドライバを選択し、該選択した印刷部に、上記特定した画像の印刷データを供給可能にする印刷部選択アプリケーションの情報、または、プリンタドライバを追加または更新するための追加・更新アプリケーションの情報を有する請求項１に記載の情報再生装置。
【請求項３】
上記検出部は、上記映像データ毎に設けられその画像の印刷の制御内容を示す印刷制御情報と、該印刷制御情報を参照し該印刷制御情報に従って映像コンテンツ毎にその画像の印刷条件を制御する印刷制御アプリケーションの情報とを上記記録媒体から読取る構成を備え、
上記アプリケーション実行部は、上記読取られた印刷制御アプリケーションの情報に基づき、印刷制御アプリケーションを実行する構成を備え、
印刷条件を変えた画像の印刷データを上記印刷データ出力部から出力可能にした請求項１また請求項２に記載の情報再生装置。
【請求項４】
上記検出部は、上記画像のレイアウトの内容を示すレイアウトコンテンツと、該レイアウトコンテンツを参照し該レイアウトコンテンツに従ってその画像にレイアウトを施すレイアウトアプリケーションの情報とを上記記録媒体から読取る構成を備え、
上記アプリケーション実行部は、上記読取られたレイアウトアプリケーションの情報に基づき、レイアウトアプリケーションを実行する構成を備え、
レイアウトを施した画像の印刷データを、上記印刷データ出力部から出力可能にした請求項１、２または３に記載の情報再生装置。
【請求項５】
上記検出部は、追加、更新用のプリンタドライバの情報を上記記録媒体から読取る構成を備え、
上記アプリケーション実行部は、上記読取られた追加、更新用のプリンタドライバの情報と、既存のプリンタドライバの情報とを比較し、該比較結果に基づき、該既存のプリンタドライバに対し該追加、更新用のプリンタドライバを追加、更新する構成を備え、
上記追加、更新されたプリンタドライバによる画像の印刷データを上記印刷データ出力部から出力可能にした請求項１、２または３に記載の情報再生装置。
【請求項６】
記録部に、映像コンテンツと、該映像コンテンツにより形成される画像を印刷するための印刷アプリケーションのデータが記録されていることを特徴とする記録媒体。
【請求項７】
記録部に、上記映像コンテンツ及び上記印刷アプリケーションのデータの他、該映像コンテンツ毎に設けられ画像の印刷の制御内容を示す印刷制御情報と該印刷制御情報を参照し該印刷制御情報に従って映像コンテンツ毎に画像の印刷条件を制御する印刷制御アプリケーションのデータ、または、画像のレイアウトの内容を示すレイアウトコンテンツと該レイアウトコンテンツを参照し該レイアウトコンテンツに従って画像にレイアウトを施すレイアウトアプリケーションのデータ、または、追加もしくは更新用のプリンタドライバ、のうちのいずれかが記録されている請求項６に記載の記録媒体。
【発明の詳細な説明】
【技術分野】
【０００１】
本発明は、光ディスクなど記録媒体に記録された情報を再生する情報再生装置に係り、特に、再生した画像を印刷するための構成に関する。
【背景技術】
【０００２】
従来、記録媒体に記録された映画や音楽などのデータを再生する装置としては、例えばＣＤプレーヤやＤＶＤプレーヤなどがある。これらの装置では、再生した画像を印刷する場合は、ビデオプリンタなどを接続することで対応している。また、記録媒体にも画像の印刷に関するデータは記録されていない。
本発明に関連した従来技術であって、特許文献に記載された技術としては、例えば、特開平７−３１１９５０号公報（特許文献１）に記載されたものがある。該公報には、大容量の圧縮ビデオデータを、高速の転送速度で高速アクセスできるような光ディスク記録技術として、光ディスクに、圧縮されたビデオデータと圧縮されたオーディオデータとが多重化されたメインデータと、ＴＯＣ（Ｔａｂｌｅ  ｏｆ  Ｃｏｎｔｅｎｔｓ）情報やサブコード情報等の付加データとを記録するとした技術が記載されている。
【０００３】
【特許文献１】特開平７−３１１９５０号公報
【発明の開示】
【発明が解決しようとする課題】
【０００４】
上記従来のＣＤプレーヤやＤＶＤプレーヤなどには印刷機能部が搭載されていないため、再生した映像（画像）を印刷する場合には、その都度、ビデオプリンタなどの専用印刷機を接続する必要があり、時間と手間がかかる上、広い占有スペースも必要であった。
本発明の課題点は、上記従来技術の状況に鑑み、情報再生装置（記録動作が可能な装置も含む）において、再生した映像（画像）を、専用印刷機を接続しなくとも、印刷することができるようにすることである。
【課題を解決するための手段】
【０００５】
上記課題点を解決するために、本発明では、記録媒体に、少なくとも、映像コンテンツの他、該映像コンテンツにより形成される画像を印刷するための印刷アプリケーションのデータを記録する。また、情報再生装置は、映像コンテンツと上記印刷アプリケーションの情報とを上記記録媒体から読取る検出部と、該読取った印刷アプリケーションの情報により印刷アプリケーションを実行し、印刷する画像を特定するアプリケーション実行部と、該特定された画像を印刷処理可能な信号に変換するプリンタドライバと、該変換された印刷処理可能な信号を印刷データとして出力する印刷データ出力部とを備えた構成とする。
【発明の効果】
【０００６】
本発明によれば、印刷機能を有する使い勝手の良い情報再生装置の提供が可能となる。
【発明を実施するための最良の形態】
【０００７】
以下、本発明の実施例につき、図面を用いて説明する。
図１は、本発明の第１の実施例としての情報再生装置の構成図である。
図１において、１００は情報再生装置、１ａは、情報再生装置１００に装填された記録媒体としての光ディスク、２は、光ディスク１ａを回転駆動するスピンドルモータ、３は、映像コンテンツと、該映像コンテンツにより形成される画像を印刷するための印刷アプリケーションの情報とを光ディスク１ａから光学的に読取る検出部としての光ピックアップ、４はサーボ系回路、５は、光ピックアップ３が読取った映像コンテンツを映像情報と音声情報に分離するとともに、上記印刷アプリケーションの情報を増幅等を行って処理する信号処理回路、６は、上記分離された映像情報と音声情報とをデジタル信号処理し復号化する復号回路、７はマイコン、８は、外部から当該情報再生装置１００の操作を行う操作部、９はリモコン受信部、１０はリモコン、１１は操作ボタン、１２は、現在の時刻や、光ディスク１ａまたは情報再生装置１００の状態などを表示する表示部、１３は、映像（画像）を表示するモニタ、１４は、上記印刷アプリケーションの情報及び上記復号化された映像情報が入力され、マイコン７の指示により印刷アプリケーションを実行し、印刷する画像を特定するアプリケーション実行部、１５は、上記特定された画像を印刷処理可能な信号に変換するプリンタドライバ、１６は、プリンタドライバ１５からの印刷処理可能な信号を印刷データとして出力する印刷データ出力部、１７は、該印刷データにより画像の印刷を行う印刷部を示す。マイコン７は、操作部８からユーザの指示を受け取り、印刷する画像を指定する。アプリケーション実行部１４は、該マイコン７によって指定された画像を、印刷する画像として特定する。光ディスク１ａには、映像とデータが記録されている映像コンテンツ１８と併せ、該映像コンテンツ１８により形成される画像を印刷するための印刷アプリケーションの情報１９も記録されている。情報再生装置１００は、再生動作のみが可能な構成のものであってもよいし、再生動作と記録動作が可能な構成のものであってもよい。
【０００８】
上記構成において、ユーザが光ディスク１ａに記録されている映像を観賞する場合は、光ピックアップ３で光ディスク１ａにレーザー光を照射し、反射レーザー光によって、光ディスク１ａに記録されている映像コンテンツ１８を読み出す。該読み出した映像コンテンツ１８は信号処理回路５で映像情報と音声情報などに分離され、それぞれの情報に対して復号回路６で復号化処理が行われる。復号化された映像情報はモニタ１３に入力され、該モニタ１３で映像表示（画像表示）される。例えば、ユーザが、操作部８を介して、映像の１場面としての画像の印刷を指示した場合は、光ディスク１ａに記録されている印刷アプリケーション１９が光ピックアップ３により読み出され、アプリケーション実行部１４で、該印刷アプリケーション１９のプログラムに従った手順が実行される。該印刷アプリケーション１９では、ユーザが印刷を指示した画像を、マイコン７による指定に基づき特定して、印刷用にリサイズし、その画像情報を、ソフトウエアであるプリンタドライバ１５に供給する。プリンタドライバ１５は、画像情報を、印刷部１７が処理可能な信号すなわち印刷データに変換し、これを印刷データ出力部１６に供給する。印刷データ出力部１６は、該印刷データを印刷部１７へ送信する。印刷部１７は、該印刷データに従った印刷を行う。ユーザが印刷の指示を出す方法としては、リモコン１０または操作ボタン１１に印刷専用ボタンを設け、これを操作することで行ってもよいし、または、ＯＳＤとしてモニタに映し出すメニューの項目に含ませ、これを選択して行うようにしてもよい。
【０００９】
図２は、情報再生装置に複数の印刷部が接続され、該複数の印刷部のうちから一部のものを選択して画像の印刷を行わせる場合の構成である。
図２において、１００ａは情報再生装置、２０は、複数の印刷部のうちから一部のものを選択する印刷部選択アプリケーションである。印刷部１７は複数の印刷部を備え、プリンタドライバ１５は複数のプリンタドライバを備えているとする。他の構成は、上記図１の情報再生装置１００と同じである。情報再生装置１００ａは、再生動作のみが可能な構成のものであってもよいし、再生動作と記録動作が可能な構成のものであってもよい。
【００１０】
かかる構成において、ユーザによる操作部８からの信号に基づき、マイコン７から、印刷部を選択する指示が出されると、印刷部選択アプリケーション２０は、複数の印刷部のうちから一部のものを選択するともに、該選択した印刷部に対応するプリンタドライバを選択し、該選択した印刷部に、印刷アプリケーション１９が特定した画像の印刷データを供給可能にする。
【００１１】
上記第１の実施例によれば、装置内に印刷機能を備えているため、再生した映像（画像）を、ビデオプリンタなどの専用印刷機を接続しなくとも、印刷することができる。また、光ディスク１ａ内に印刷アプリケーションが記録されているため、多種多様な印刷機能を提供することができる。
【００１２】
図３は、本発明の第２の実施例としての情報再生装置の構成図である。本第２の実施例は、画像の印刷条件を制御可能にした場合である。本第２の実施例では、映像コンテンツ毎にその画像の印刷の制御内容を示す印刷制御情報と、該印刷制御情報を参照し該印刷制御情報に従って映像コンテンツ毎にその画像の印刷条件を制御する印刷制御アプリケーションの情報とが記録されている光ディスクを用いる。
【００１３】
図３において、１ｂは、記録媒体としての光ディスク、１０１は情報再生装置、２１は、光ディスク１ｂに記録されている印刷制御情報、２２は、同じく光ディスク１ｂに記録され、印刷の可能／不可能を制御する印刷制御アプリケーションである。他の符号は、図１の場合と同じ構成要素を示す。光ディスク１ｂ内に記録されている映像コンテンツ毎に、印刷制御情報２１が設けられている。アプリケーション実行部１４におけるアプリケーションの実行時に、印刷制御アプリケーション２２が印刷制御情報２１を参照し、印刷制御情報２１の内容によって画像の印刷の制御を行う。例えば印刷制御情報２１が「０」ならば印刷不可、「１」ならば印刷可能とする。具体的には、ユーザが印刷を指示した場合に、印刷制御アプリケーション２２が光ピックアップ３によって読み出され、アプリケーション実行部１４により印刷制御アプリケーション２２のプログラムに従った手順が実行される。該実行の中で、印刷制御アプリケーション２２は印刷制御情報２１を参照する。該参照の結果、印刷が可能な場合は、光ピックアップ３によって印刷アプリケーション１９が読み出され、アプリケーション実行部１４で、該印刷アプリケーション１９のプログラムに従った手順が実行される。該印刷アプリケーション１９では、ユーザが印刷を指示した画像を、マイコン７による指定に基づき特定して印刷用にリサイズし、その画像情報を、ソフトウエアであるプリンタドライバ１５に供給する。プリンタドライバ１５は、画像情報を、印刷部１７が処理可能な信号すなわち印刷データに変換し、これを印刷データ出力部１６に供給する。印刷データ出力部１６は、該印刷データを印刷部１７へ送信する。印刷部１７は、該印刷データに従った印刷を行う。一方、上記参照の結果、印刷が不可能な場合は、その旨をユーザに伝える。印刷アプリケーション１９と印刷制御アプリケーション２２は、１つのアプリケーションとしてもよい。情報再生装置１０１は、再生動作のみが可能な構成のものであってもよいし、再生動作と記録動作が可能な構成のものであってもよい。
【００１４】
以下、ユーザが映像を観賞中に、画像が印刷可能か不可能かがわかるように、映像再生時に印刷可能／不可能を表示する例を示す。
図４は、表示部１２に上記印刷可能／不可能を表示する例である。図４において、１０１は情報再生装置本体、１２は表示部、２５は印刷制御マークである。また、図５は、モニタ１３に上記印刷可能／不可能を表示する例であって、図５中、１３はモニタ、２７はモニタ１３の表示部、２８は印刷制御マークである。映像再生と同時に、再生中の映像の印刷制御情報２１を読み出し、印刷制御アプリケーション２２によって印刷の可能／不可能を判断する。そして、判断の結果を表示部１２あるいはモニタ１３に出力し、印刷制御マーク２５あるいは２８に印刷の可能／不可能を反映する。例えば、観賞中の画像が印刷可能であればランプを点灯し、印刷不可能であれば消灯する。その他、ランプの色や文字で表してもよい。また、印刷制御マーク２５及び２８は、ユーザが自由に表示／非表示を選択することができる。
【００１５】
上記第２の実施例の情報再生装置１０１によっても、再生した映像（画像）を、ビデオプリンタなどの専用印刷機を接続しないでも印刷することができる。また、光ディスク１ｂ内に印刷アプリケーションが記録されているため、多種多様な印刷機能を提供することができる。特に、本第２の実施例では、光ディスク１内に印刷制御情報やそれを読み出すアプリケーションが記録されているため、画像情報に応じた印刷制御を行うことができ、映像コンテンツ１８に応じて印刷を制限することができる。特に、例えばディスク１ｂの提供者は、印刷制御情報２１と印刷制御アプリケーション２２を用意することにより、独自の方法で映像コンテンツに対して印刷制限を施すことができ、著作権の保護を確実に行うことができる。また、映像観賞中に再生映像の印刷可能／不可能を瞬時に知ることができる。
【００１６】
図６は、本発明の第３の実施例としての情報再生装置の構成図である。本第３の実施例は、画像の印刷条件を制御可能にした上、さらに、画像に編集を施せるようにした場合である。本第３の実施例では、映像コンテンツ及び印刷アプリケーションの情報の他、映像コンテンツ毎にその画像の印刷の制御内容を示す印刷制御情報と、該印刷制御情報を参照し該印刷制御情報に従って映像コンテンツ毎にその画像の印刷条件を制御する印刷制御アプリケーションの情報と、画像のレイアウトの内容を示すレイアウトコンテンツと、該レイアウトコンテンツを参照し該レイアウトコンテンツに従ってその画像にレイアウトを施すレイアウトアプリケーションの情報とが記録されている光ディスクを用いる。
【００１７】
図６において、１ｃは、記録媒体としての光ディスク、１０２は情報再生装置、２９は、光ディスク１ｃに記録されているレイアウトコンテンツ、３０は、同じく光ディスク１ｃに記録され、レイアウトを施すレイアウトアプリケーションである。レイアウトコンテンツ２９としては、印刷画像を装飾するための画像、または、ポストカードやカレンダーなどのテンプレートなどである。他の符号は、図３の場合と同じ構成要素を示す。本情報再生装置１０２も、再生動作のみが可能な構成のものであってもよいし、再生動作と記録動作が可能な構成のものであってもよい。
【００１８】
ユーザが編集及び印刷を指示した場合、先ず、印刷制御アプリケーション２２が光ピックアップ３によって読み出され、アプリケーション実行部１４により印刷制御アプリケーション２２のプログラムに従った手順が実行される。該手順の中で、印刷制御アプリケーション２２は印刷制御情報２１を参照する。該参照の結果、印刷が可能な場合は、レイアウトアプリケーション３０と印刷アプリケーション１９が読み出され、アプリケーション実行部１４で、該レイアウトアプリケーション３０のプログラムに従った手順と該印刷アプリケーション１９のプログラムに従った手順が実行される。該印刷アプリケーション１９では、ユーザが印刷を指示した画像が、マイコン７による指定に基づき特定され、該レイアウトアプリケーション３０では、レイアウトコンテンツ２９に搭載されている画像やテンプレートを参照し、それらを、印刷アプリケーション１９によって特定された印刷画像に適用する。印刷アプリケーション１９は、さらに、このレイアウトを施された画像を印刷用にリサイズし、その画像情報を、ソフトウエアであるプリンタドライバ１５に供給する。プリンタドライバ１５は、画像情報を、印刷部１７が処理可能な信号すなわち印刷データに変換し、これを印刷データ出力部１６に供給する。印刷データ出力部１６は、該印刷データを、印刷部選択アプリケーションによって選択されている印刷部１７へ送信する。印刷部１７は、該印刷データに従った印刷を行う。
【００１９】
図７は、図６の情報再生装置１０２における画像編集の一例を示す図である。図７中、（ａ）における３１は、画像編集を行う前の元画像、（ｂ）における３２は、元画像３１に装飾画像を適用した画像、（ｃ）における３３は、カレンダーテンプレートを適用した画像、（ｄ）における３４は、ポストカードテンプレートを適用した画像である。
【００２０】
図８は、ユーザが印刷を指示した場合における図６の情報再生装置１０２の動作フロー図である。
図８において、
（１）リモコン１０または操作ボタン１１によりユーザから印刷の指示を受けると、操作部８からの信号によりマイコン７は、情報再生装置１０２に対応動作を開始させる（ステップＳ８０１）。
（２）マイコン７は、光ピックアップ３に、光ディスク１ｃから映像コンテンツ１８及び印刷アプリケーション１９を読み出させ、アプリケーション実行部１４に、該印刷アプリケーション１９のプログラムに従った手順を実行させる（ステップＳ８０２）。該印刷アプリケーション１９の実行においては、マイコン７は、ユーザが印刷を指示した画像を指定し、アプリケーション実行部１４に対し、映像コンテンツ１８の中から該画像を特定させる。
（３）マイコン７は、ユーザから、上記特定した画像にレイアウトを施す指示が出されているか否かを判別する（ステップＳ８０３）。
（４）ステップＳ８０３の判別の結果、レイアウトを施す指示が出されている場合は、マイコン７は、光ピックアップ３に対し、光ディスク１ｃからレイアウトアプリケーション３０を読み出させ、アプリケーション実行部１４に、該レイアウトアプリケーション３０のプログラムに従った手順を実行させる（ステップＳ８０４）。
（５）さらに、マイコン７は、ユーザから、上記特定した画像に装飾を施す指示が出されているか否かを判別する（ステップＳ８０５）。
【００２１】
（６）ステップＳ８０５の判別の結果、装飾を施す指示が出されている場合は、マイコン７は、アプリケーション実行部１４に、レイアウトアプリケーション３０のプログラムに従った手順を実行させ、上記特定した画像に装飾を施させる（ステップＳ８０６）。
（７）マイコン７は、ユーザから、上記特定した画像に、カレンダーまたはポストカードなどのテンプレートを施す指示が出されているか否かを判別する（ステップＳ８０７）。
（８）ステップＳ８０７の判別の結果、テンプレートを施す指示が出されている場合は、マイコン７は、アプリケーション実行部１４に、レイアウトアプリケーション３０のプログラムに従った手順を実行させ、上記特定された画像にテンプレートを施させる（ステップＳ８０８）。
（９）マイコン７は、ユーザから、上記レイアウト動作を終了させる指示が出されているか否かを判別する（ステップＳ８０９）。
（１０）ステップＳ８０９の判別の結果、レイアウト動作を終了させる指示が出されている場合は、マイコン７は、アプリケーション実行部１４に、レイアウトアプリケーション３０のプログラムに従った動作を停止させ、レイアウト動作を終了させる。また、マイコン７は、該アプリケーション実行部１４に、印刷アプリケーション１９のプログラムに従った手順を実行させ、上記レイアウトを施された画像を印刷用にリサイズさせ、その画像情報を、ソフトウエアであるプリンタドライバ１５に供給させる。プリンタドライバ１５は、画像情報を、印刷部１７が処理可能な信号すなわち印刷データに変換し、これを印刷データ出力部１６に供給する。印刷データ出力部１６は、該印刷データを、印刷部選択アプリケーションによって選択されている印刷部１７へ送信する。印刷部１７は、該印刷データに従った印刷を行う。（ステップＳ８１０）。
【００２２】
（１１）上記ステップＳ８０３の判別の結果、レイアウトを施す指示が出されていない場合、マイコン７は、ステップＳ８１０の動作に移行し、ステップＳ８０２で特定された画像の印刷を行わせる。
（１２）上記ステップＳ８０５の判別の結果、装飾を施す指示が出されていない場合、マイコン７は、ステップＳ８０７の動作に移行する。
（１３）上記ステップＳ８０７の判別の結果、テンプレートを施す指示が出されていない場合、マイコン７は、ステップＳ８０９の動作に移行する。
（１４）上記ステップＳ８０９の判別の結果、レイアウト動作を終了させる指示が出されていない場合、マイコン７は、ステップＳ８０５の動作に戻る。
（１５）上記手順を経て、ユーザが指示した特定の画像の印刷が完了すると、マイコン７は、情報再生装置１０２に、印刷についての一連の動作を終了させる（ステップＳ８１１）。
なお、上記図６におけるレイアウトアプリケーション３０、印刷アプリケーション１９及び印刷制御アプリケーション２２の３つのアプリケーションは、まとめて１つのアプリケーションとして構成されてもよいし、または、２つのアプリケーションとして構成されてもよい。
【００２３】
上記第３の実施例の情報再生装置１０２によっても、再生した映像（画像）を、ビデオプリンタなどの専用印刷機を用いずに印刷することができる。また、多種多様な印刷機能を提供することもできる。また、映像コンテンツ１８に応じて印刷を制限することができ、著作権の保護を確実に行うことができる。また、映像観賞中に再生映像の印刷可能／不可能を瞬時に知ることができる。特に、本第３の実施例では、ユーザが希望した画像を装飾して印刷することができるし、さらに、光ディスク１ｃの提供者がレイアウトコンテンツに新たな付加価値を生み出すことも可能である。
【００２４】
なお、上記第３の実施例の情報再生装置１０２では、映像コンテンツ及び印刷アプリケーションの情報の他、画像のレイアウトの内容を示すレイアウトコンテンツと、該レイアウトコンテンツを参照し該レイアウトコンテンツに従ってその画像にレイアウトを施すレイアウトアプリケーションの情報と、映像コンテンツ毎にその画像の印刷の制御内容を示す印刷制御情報と、該印刷制御情報を参照し該印刷制御情報に従って映像コンテンツ毎にその画像の印刷条件を制御する印刷制御アプリケーションの情報とが記録されている光ディスクを用いるとしたが、この他、例えば、光ディスクとして、映像コンテンツ及び印刷アプリケーションの情報の他、画像のレイアウトの内容を示すレイアウトコンテンツと、該レイアウトコンテンツを参照し該レイアウトコンテンツに従ってその画像にレイアウトを施すレイアウトアプリケーションの情報とが記録され、画像の印刷の制御内容を示す印刷制御情報と、該印刷制御情報を参照し該印刷制御情報に従って映像コンテンツ毎にその画像の印刷条件を制御する印刷制御アプリケーションの情報は記録されていないものを用い、印刷条件の制御は行わずに、印刷画像にレイアウトを施す構成の情報再生装置としてもよい。すなわち、情報再生装置を図１または図２の構成として、印刷用に特定した画像にレイアウトを施すようにしてもよい。
【００２５】
図９〜図１１は、本発明の第４の実施例としての情報再生装置の説明図である。本第４の実施例は、プリンタドライバの追加、更新を行える構成とした場合である。本第４の実施例では、少なくとも、映像コンテンツ及び印刷アプリケーションの情報の他、追加、更新用プリンタドライバが記録されている光ディスクを用いる。本第４の実施例としての情報再生装置の構成は、追加、更新アプリケーションを備える以外は、上記図１に示す第１の実施例の場合と同様であるとする。図９には、本発明の第４の実施例としての情報再生装置において、プリンタドライバの追加、更新に関わる部分のみを示す。以下、図９〜図１１の説明中で用いる図１の構成における要素と同じ要素には、図１の場合と同じ符号を付して用いる。
【００２６】
図９において、１ｄは、記録媒体としての光ディスク、１０３は情報再生装置、３５は、光ディスク１ｄに記録されている追加、更新用プリンタドライバ、３６は、情報再生装置１０３に搭載され、プリンタドライバ１５を追加、更新するプリンタドライバ追加、更新アプリケーションである。他の符号は、図１の情報再生装置１００の場合と同じ構成要素を示す。本情報再生装置１０３も、再生動作のみが可能な構成のものであってもよいし、再生動作と記録動作が可能な構成のものであってもよい。
以下、図９の構成において、光ディスク１ｄを用いて、情報再生装置１０３におけるプリンタドライバ１５を追加、更新する場合につき説明する。
【００２７】
光ディスク１ｄを情報再生装置１０３に装填し、該光ディスク１ｄから追加、更新用プリンタドライバ３５を読み出す。次に、プリンタドライバ追加、更新アプリケーション３６を起動し、上記光ディスク１ｄから読み出されたプリンタドライバ３５と、情報再生装置１０３側の既存のプリンタドライバ１５とを比較し、比較結果に応じてプリンタドライバガ１５にプリンタドライバ３５を追加、更新する。追加、更新しないときは、その旨をユーザに伝える。追加、更新するか否かは、既存のプリンタドライバ１５にプリンタドライバ３５が含まれているかどうか、既存のプリンタドライバ１５の更新版がプリンタドライバ３５に含まれているかどうかで判断する。このようにしてプリンタドライバ１５の更新を行う。既存のプリンタドライバ１５にプリンタドライバ３５が含まれている場合は、追加、更新は行わず、既存のプリンタドライバ１５の更新版がプリンタドライバ３５に含まれている場合は、追加、更新は行う。
【００２８】
図１０は、本第４の実施例の情報再生装置１０３において、プリンタドライバの情報をインターネットから受信し、プリンタドライバ１５の内容を追加、更新する場合の説明図である。図１０において、３７は、インターネットとの送受信部、３８はインターネットである。他の符号は、図９の場合と同様である。図１０において、送受信部３７でインターネット３８と接続を行い、該インターネット３８からプリンタドライバの情報を取得する。該インターネット３８から得られたプリンタドライバの情報と既存のプリンタドライバ１５の情報を比較し、比較結果に基づき、プリンタドライバ追加、更新アプリケーション３６でプリンタドライバ１５の追加、更新を行う。この場合も、追加、更新するか否かは、既存のプリンタドライバ１５に、該インターネット３８から得られたプリンタドライバが含まれているかどうか、既存のプリンタドライバ１５の更新版が該インターネット３８から得られたプリンタドライバに含まれているかどうかで判断する。
【００２９】
図１１は、ユーザがプリンタドライバ１５の追加、更新を指示した場合における第４の実施例の情報再生装置１０３の動作フロー図である。
図１１において、
（１）リモコン１０または操作ボタン１１によりユーザからプリンタドライバ１５の追加、更新の指示を受けると、操作部８からの信号によりマイコン７は、情報再生装置１０３に対応動作を開始させる（ステップＳ１１０１）。
（２）マイコン７は、光ディスク１ｄから、またはインターネット３８からプリンタドライバを読み込ませる（ステップＳ１１０２）。
（３）マイコン７は、アプリケーション実行部１４に、プリンタドライバ追加、更新アプリケーション３６のプログラムに従った手順を実行させる（ステップＳ１１０３）。
（４）マイコン７は、光ディスク１ｄから得られたプリンタドライバ３５の情報またはインターネット３８から得られたプリンタドライバの情報と、既存のプリンタドライバ１５の情報とを比較し、該比較結果に基づき、該プリンタドライバ１５の追加、更新が必要か否かを判別する（ステップＳ１１０４）。
（５）ステップＳ１１０４における判別の結果、上記プリンタドライバ１５の追加、更新が必要である場合は、該プリンタドライバ１５の追加、更新を行い（ステップＳ１１０５）、該判別の結果、該プリンタドライバ１５の追加、更新が必要でない場合は、該プリンタドライバ１５の追加、更新は行わない（ステップＳ１１０６）。
（６）上記手順を経て、ユーザが指示したプリンタドライバ１５の追加、更新が完了するとまたはプリンタドライバ１５の追加、更新が必要でないことが確定すると、マイコン７は、情報再生装置１０３に、プリンタドライバ１５の追加、更新についての一連の動作を終了させる（ステップＳ１１０７）。
【００３０】
上記第４の実施例によっても、再生した映像（画像）を、ビデオプリンタなどの専用印刷機を接続しなくとも、印刷することができる。また、多種多様な印刷機能を提供することができる。特に、本第４の実施例では、情報再生装置１０３のプリンタドライバ１５の追加、更新が可能となり、これによって、多種類の印刷部への対応が可能となる。
【００３１】
なお、上記第４の実施例の情報再生装置１０３では、図１の情報再生装置１００の構成を基本に、プリンタドライバ追加、更新アプリケーションを設けた構成としているが、この他、図２の情報再生装置１００ａ、図３の情報再生装置１０１または図６の情報再生装置１０２を基本に、プリンタドライバ追加、更新アプリケーションを設ける構成としてもよい。
【００３２】
また、上記第１〜第４の実施例の各情報再生装置では、印刷部１７を装置内に備える構成としたが、本発明はこれに限定されず、印刷部を装置内には備えない構成であってもよい。モニタ１３についても同様である。また、第１〜第４の実施例では、情報再生装置を、記録媒体として光ディスクを用いる光ディスク装置として説明したが、本発明の情報再生装置は光ディスク装置に限定されない。また、記録媒体も光ディスクに限定されない。さらにまた、第１〜第４の実施例の情報再生装置では、アプリケーション実行部１４やプリンタドライバ１５を、マイコン７とは別個に設けているが、該アプリケーション実行部１４、該プリンタドライバ１５のいずれか一方または両方を、マイコン７と一体化した構成としてもよい。
【図面の簡単な説明】
【００３３】
【図１】本発明の第１の実施例としての情報再生装置の構成図である。
【図２】図１の情報再生装置に複数の印刷部が接続される場合の構成図である。
【図３】本発明の第２の実施例としての情報再生装置の構成図である。
【図４】図３の情報再生装置の表示部に印刷可能／不可能を表示する説明図である。
【図５】図３の情報再生装置のモニタに印刷可能／不可能を表示する説明図である。
【図６】本発明の第３の実施例としての情報再生装置の構成図である。
【図７】図６の情報再生装置における画像編集例図である。
【図８】図６の情報再生装置の動作フロー図である。
【図９】本発明の第４の実施例としての情報再生装置の構成図である。
【図１０】図９の情報再生装置においてプリンタドライバ情報をインターネットから受信する場合の説明図である。
【図１１】図９の情報再生装置におけるプリンタドライバの追加、更新の動作フロー図である。
【符号の説明】
【００３４】
１００〜１０３、１００ａ…情報再生装置、
１ａ〜１ｄ…光ディスク、
２…スピンドルモータ、
３…光ピックアップ、
４…サーボ系回路、
５…信号処理回路、
６…復号回路、
７…マイコン、
８…操作部、
９…リモコン受信部、
１０…リモコン、
１１…操作ボタン、
１２…表示部、
１３…モニタ、
１４…アプリケーション実行部、
１５…プリンタドライバ、
１６…印刷データ出力部、
１７…印刷部、
１８…映像コンテンツ、
１９…印刷アプリケーション、
２０…印刷部選択アプリケーション、
２１…印刷制御情報、
２２…印刷制御アプリケーション、
２５、２８…印刷制御マーク、
２７…モニタ表示部、
２９…レイアウトコンテンツ、
３０…レイアウトアプリケーション
３５…プリンタドライバ、
３６…プリンタドライバ追加、更新アプリケーション、
３７…送受信部、
３８…インターネット。
【図１】
2008141607.tif 000003
【図２】
2008141607.tif 000004
【図３】
2008141607.tif 000005
【図４】
2008141607.tif 000006
【図５】
2008141607.tif 000007
【図６】
2008141607.tif 000008
【図７】
2008141607.tif 000009
【図８】
2008141607.tif 000010
【図９】
2008141607.tif 000011
【図１０】
2008141607.tif 000012
【図１１】
2008141607.tif 000013